【手続補正書】
【提出日】平成30年1月25日(2018.1.25)
【手続補正１】
【補正対象書類名】明細書
【補正対象項目名】０１３９
【補正方法】変更
【補正の内容】
【０１３９】
上に最良の様式及び／又はその他の実施例と思われるものについて説明したが、様々な修正をこれに加えることができること、本明細書において開示する内容は様々な形式の実施例において実現できること、及び教示は様々な用途において応用でき、そのいくつかのみが本明細書において説明されることが分かるはずである。以下の請求項１ないし１４により、本教示の真の範囲に属するあらゆる応用、修正及び変更を請求の範囲とするが、請求項１ないし１４以外に、本発明の実施態様として以下の参考例１５ないし６２が想定される。
[参考例１５]
第１の複数のスリッパシューに結合された第１面と第２の複数のスリッパシューに結合された第２面とを有する斜板であって、該斜板の前記第１面が前記斜板の前記第２面に概ね平行である、斜板と、
前記斜板の前記第１面上に在る前記ポンプの第１部分及び前記斜板の前記第２面上に在る前記ポンプの第２部分であって、前記斜板の前記第１面上に在る前記ポンプの前記第１部分が、前記ポンプの前記第２部分に対して前記斜板を挟んで実質的に対称形である、第１部分及び第２部分と、
を備える、ピストン装置。
[参考例１６]
更にシャフトを備え、前記斜板が前記シャフトに結合される、参考例１５に記載のピストン装置。
[参考例１７]
前記シャフトの軸に対して斜めの又は直交する軸に関して調節できるように構成された、参考例１６に記載のピストン装置。
[参考例１８]
更に前記シャフトに作用する複数の力及び複数のモーメントの少なくとも１つを平衡化するための手段を備える、参考例１６に記載のピストン装置。
[参考例１９]
更に前記シャフトに対して前記斜板を傾斜させるための手段を備える、参考例１７に記載のピストン装置。
[参考例２０]
更に前記シャフト、斜板及びスリッパ組立体を収容するハウジングを備える、参考例１６に記載のピストン装置。
[参考例２１]
静止シリンダブロックと、
前記静止シリンダブロックによって囲繞された弁−シャフト組立体であって、該弁−シャフト組立体が、駆動キー、弁の弁キー溝及び前記シャフトのシャフトキー溝との間の相互作用を介して、前記弁−シャフト組立体のシャフトに接続される弁を備え、前記相互作用が前記シャフトに対する前記弁の自由度少なくとも１を与えるように構成される、弁−シャフト組立体と、
を備える、ピストン装置。
[参考例２２]
前記弁が、前記弁に対する力及びモーメントの少なくとも１つの関数として前記液圧ポンプ内での制御された流体の漏出割合によって前記シリンダブロック内で平衡化するように構成される、参考例２１に記載のピストン装置。
[参考例２３]
更に前記シャフトに接続された斜板を備える、参考例２２に記載のピストン装置。
[参考例２４]
更に前記シャフトの前記軸に直交する軸に関して前記斜板を傾斜させるための手段を備える、参考例２３に記載のピストン装置。
[参考例２５]
前記斜板が少なくとも１つの作用面を備える、参考例２４に記載のピストン装置。
[参考例２６]
前記斜板が前記斜板の前記少なくとも１つの作用面に結合された複数のスリッパ組立体を備える、参考例２５に記載のピストン装置。
[参考例２７]
ハウジング及び前記ハウジングと一体的なマニホルドと、
前記マニホルドによって囲繞された回転弁であって、該回転弁がシャフトと、通路部とシール部とを備える、回転弁と、
を備え、
前記シール部が半円形シールエッジを備える、
ピストン装置。
[参考例２８]
前記回転弁が、更に前記回転弁の第１端部の第１軸面シールと前記回転弁の第２端部の第２軸面シールとを備える、参考例２７に記載のピストン装置。
[参考例２９]
前記回転弁が、更に前記半円形シールリッジと反対の前記回転弁の側に高圧排出部を備える、参考例２８に記載のピストン装置。
[参考例３０]
前記回転弁が、更に前記回転弁の前記第１端部に取入れ部を備える、参考例２９に記載のピストン装置。
[参考例３１]
更に前記高圧排出部とマニホルドとの間に形成された作動ギャップを備え、前記作動ギャップが前記高圧排出部において前記半円形シールギャップの方向に加えられた力に依存する幅を有する、参考例２９に記載のピストン装置。
[参考例３２]
前記半円形シールリッジが前記マニホルドから概ね不変の作動距離を維持するように構成される、参考例３１に記載のピストン装置。
[参考例３３]
前記作動ギャップの前記幅が更にシャフト速度及び前記弁の円周に依存する、参考例３１に記載のピストン装置。
[参考例３４]
前記回転弁が概ね円筒形であり、前記半円形シールリッジが前記回転弁の３６０°未満を囲繞する、参考例２７に記載のピストン装置。
[参考例３５]
前記半円形シールリッジがマニホルド係合部と陥凹部とを備える、参考例３４に記載のピストン装置。
[参考例３６]
前記回転弁が、更に前記半円形シールリッジと反対の前記回転弁の側に低圧吸引部を備える、参考例２８に記載のピストン装置。
[参考例３７]
弁穴と、
前記弁穴によって囲繞された回転弁であって、該回転弁が少なくとも１つの軸面シールと少なくとも１つのラジアル面シールとを備える、回転弁と、
前記ラジアル面シールと前記弁穴との間の作動シール隙間と、
を備え、
前記作動シール隙間が前記回転弁の作動時に概ね不変の厚みを維持する、
ピストン装置。
[参考例３８]
更に前記回転弁と前記弁穴との間に排出ギャップを備え、前記回転弁が前記半円形シールリッジの方向に加えられた力によって付勢され、前記力が前記作動シール隙間の幅を決定する、参考例３７に記載のピストン装置。
[参考例３９]
前記回転弁が更にシャフトを備え、前記ラジアル面シールが半円形シール要素を備えかつ前記シャフトに関して概ね同軸である、参考例３８に記載のピストン装置。
[参考例４０]
更に前記シャフト上に通路部を備える、参考例３９に記載のピストン装置。
[参考例４１]
前記シャフトが入口通路と排出通路とを備える、参考例４０に記載のピストン装置。
[参考例４２]
弁穴とマニホルドとを有するハウジングと、
前記マニホルド内のシャフト、及び、前記弁穴内の回転弁であって、前記シャフトが遠位端において前記回転弁の平面状表面に取り付けられる、シャフト及び回転弁と、
を備え、
前記シャフトが第１軸を有し、前記回転弁が第２軸を備え、前記第１軸が前記第２軸からオフセットする、
ピストン装置。
[参考例４３]
前記第２軸が前記弁穴の軸と一致する、参考例４２に記載のピストン装置。
[参考例４４]
前記第１軸が前記マニホルドの中心線からオフセットする、参考例４３に記載のピストン装置。
[参考例４５]
前記回転弁が高圧出口を備える、参考例４２に記載のピストン装置。
[参考例４６]
前記シャフトが前記回転弁の前記高圧出口の方向にオフセットする、参考例４５に記載のピストン装置。
[参考例４７]
前記シャフトがマニホルド接触面を備える、参考例４６に記載のピストン装置。
[参考例４８]
前記シャフトが前記回転弁の前記高圧出口と反対の方向にオフセットする、参考例４５に記載のピストン装置。
[参考例４９]
更に平行にかつ前記弁穴の周りに円形にかつ前記弁穴と同軸に配列された複数のシリンダを前記マニホルド内に備える、参考例４２に記載のピストン装置。
[参考例５０]
前記回転弁が前記弁穴と概ね同軸である、参考例４９に記載のピストン装置。
[参考例５１]
前記シャフトが前記弁穴と同軸ではない、参考例５０に記載のピストン装置。
[参考例５２]
前記シャフトが前記回転弁と一体型である、参考例４２に記載のピストン装置。
[参考例５３]
弁穴の中の弁と、
前記弁と前記穴との間に位置する前記弁のラジアル表面上のラジアル面シールであって、該ラジアル面シールがシールリッジを備える、ラジアル面シールと、
前記弁の軸表面上の軸面シールであって、該軸面シールが前記弁の前記軸表面と前記弁穴の軸表面との間に在る、軸面シールと、
を備える、ピストン装置。
[参考例５４]
前記シールリッジが前記弁の前記ラジアル表面から遠ざかって前記弁穴へ向かって突出する、参考例５３に記載のピストン装置。
[参考例５５]
前記ラジアル面シールが少なくとも１つのラジアル面シールトルク伝達装置を介して前記弁に接続される、参考例５３に記載のピストン装置。
[参考例５６]
前記ラジアル面シールが少なくとも１つのラジアル面シールばねを介して前記弁から遠ざかるように付勢される、参考例５５に記載のピストン装置。
[参考例５７]
前記軸面シールが少なくとも１つの軸面シールトルク伝達装置を介して前記弁に接続される、参考例５３に記載のピストン装置。
[参考例５８]
前記少なくとも１つの軸面シールが軸面シールばねを介して前記弁から遠ざかるように付勢される、参考例５７に記載のピストン装置。
[参考例５９]
前記シールリッジが更に通路を備える、参考例５３に記載のピストン装置。
[参考例６０]
第１面と第２面とを有する斜板であって、前記第１面が前記第２面に概ね平行である、斜板と、
前記第１面上に在る前記ポンプの第１部分及び前記第２面上に在る第２部分と、
を備え、
前記第１部分が第１部分穴によって囲繞された第１部分回転弁を備え、前記第２部分が第２部分穴によって囲繞された第２部分弁を備え、
両方の弁がシャフトと通路部とシールリッジとを備える、
ピストン装置。
[参考例６１]
前記部分の少なくとも一方が、更に前記それぞれの弁に接続されかつ前記それぞれの弁と前記それぞれの穴との間にシールを与えるそれぞれのラジアル面シールを備える、参考例６０に記載のピストン装置。
[参考例６２]
更に前記弁から前記それぞれのラジアル面シールへ回転力を伝達するために前記それぞれのラジアル面シールを前記それぞれの弁と接続するトルクトランスレータを備える、参考例６１に記載のピストン装置。
【手続補正２】
【補正対象書類名】特許請求の範囲
【補正対象項目名】全文
【補正方法】変更
【補正の内容】
【特許請求の範囲】
【請求項１】
静止シリンダブロックと、
前記静止シリンダブロック内で自身の軸の周りで回転可能なシャフトであって、該シャ
フトが、流体を受け入れ、導き、排出するように構成された複数の通路を備え、前記シャ
フトが前記ポンプの作動時に同心的及び偏心的に回転可能な、シャフトと、
前記シャフトに結合された斜板であって、該斜板が第１の複数のピストンに結合された
第１面を有する、斜板と、
を備える、ピストン装置。
【請求項２】
前記斜板が、前記シャフトの前記軸に直交する軸に関して傾斜するように構成される、
請求項１に記載のピストン装置。
【請求項３】
更に前記斜板を傾斜させるための手段を備える、請求項２に記載のピストン装置。
【請求項４】
前記シャフトの前記通路に対する流体圧力が少なくとも１つの力及び／又はモーメント
を平衡化する、請求項１に記載のピストン装置。
【請求項５】
更に各々１つのピストンに接続されたそれぞれの複数のスリッパシューを備え、前記斜
板が前記スリッパシューと相互作用するための少なくとも１つの作用面を備える、請求項
１に記載のピストン装置。
【請求項６】
前記ポンプ全体を通過する流体の流れがシャフトに対する力及びモーメントの少なくと
も１つを生成し、前記複数の通路が、前記シャフトに対する前記力又はモーメントの少な
くとも１つを平衡化するように前記シャフトに構成される、請求項１に記載のピストン装
置。
【請求項７】
更に第２の複数のピストンを備え、各複数のピストンが前記シリンダブロック内に収容
され、かつ前記シリンダブロックの両端に前記シャフトと同軸に弧状に配置される、請求
項６に記載のピストン装置。
【請求項８】
更に第１作用面と第２作用面とを備え、前記第１及び第２作用面が前記斜板の対向する
側に在る、請求項７に記載のピストン装置。
【請求項９】
静止シリンダブロックと、
前記静止シリンダブロックを通過して延びかつ前記シャフトの一部分に沿って複数の通
路を有するシャフトと、
前記静止シリンダブロック内に囲繞された弁であって、該弁が該弁と一体的に結合され
た前記シャフトを備える、弁と、
を備える、ピストン装置。
【請求項１０】
更に第１の複数のピストンと第２の複数のピストンとを備え、各複数のピストンが前記
シャフトの対向する側において前記シャフトと同軸に弧状に配置される、請求項９に記載
のピストン装置。
【請求項１１】
前記複数の通路が前記ポンプ全体を通過する流体の流れを受け入れ、導き、排出するよ
うに構成される、請求項９に記載のピストン装置。
【請求項１２】
前記ポンプ全体を通過する前記流体の流れが、前記シャフトに対する複数の力及び複数
のモーメントの少なくとも１つを生成し、前記複数の通路が、前記複数の力及び前記複数
のモーメントの前記少なくとも１つを平衡化するように前記シャフトに構成される、請求
項１１に記載のピストン装置。
【請求項１３】
更に、複数のスリッパ組立体であって、各スリッパ組立体が前記複数のピストンの１つ
のピストンに結合される、複数のスリッパ組立体と、
前記シャフトに結合されかつそれぞれのスリッパ組立体と相互作用するために少なくと
も１つの作用面を備える斜板と、
を備える、請求項１２に記載のピストン装置。
【請求項１４】
更に第１作用面と第２作用面とを備え、前記第１及び第２作用面が前記斜板の対向する
側に在る、請求項１３に記載のピストン装置。